(57)【要約】【課題】顕微鏡カメラ等に好適な色消しレンズ系を提供する。【解決手段】物体側から順に、正の屈折力を有する両凸形状の第１レンズ１、第１レンズに接合されると共に負の屈折力を有し物体側に凹面を向けたメニスカス形状の第２レンズ２、正の屈折力を有する第３レンズ３、第３レンズに接合されると共に負の屈折力を有する第４レンズ４、負の屈折力を有する第５レンズ５、第５レンズに接合されると共に正の屈折力を有する両凸形状の第６レンズ６を配列し、第１レンズ１及び第２レンズ２と第５レンズ５及び第６レンズ６が主として屈折力を担い、第３レンズ３及び第４レンズ４が、諸収差特に色収差及びコマ収差を良好に補正する役割を担うようにする。これにより、可視光から近赤外光までの色消しが可能で、画面周辺まで収差が補正される色消しレンズ系が得られる。【選択図】図１
2007304312.tif 000002
【特許請求の範囲】
【請求項１】
物体側から像面側に向けて順に配列された、
正の屈折力を有する両凸形状の第１レンズと、
前記第１レンズに接合されると共に負の屈折力を有し物体側に凹面を向けたメニスカス形状の第２レンズと、
正の屈折力を有する第３レンズと、
前記第３レンズに接合されると共に負の屈折力を有する第４レンズと、
負の屈折力を有する第５レンズと、
前記第５レンズに接合されると共に正の屈折力を有する両凸形状の第６レンズと、
を含む、ことを特徴とする色消しレンズ系。
【請求項２】
前記第３レンズ及び第４レンズは、同一材料により形成されている、
ことを特徴とする請求項１記載の色消しレンズ系。
【請求項３】
前記第３レンズと前記第４レンズの接合面は平面に形成されている、
ことを特徴とする請求項１又は２に記載の色消しレンズ系。
【請求項４】
前記第５レンズの物体側の面は平面に形成されている、
ことを特徴とする請求項１ないし３いずれかに記載の色消しレンズ系。
【請求項５】
前記第１レンズの物体側の面の曲率半径をＲ１、前記第２レンズの像面側の面の曲率半径をＲ３とするとき、条件式（１）
（１）Ｒ１＝−Ｒ３
を満足する、
ことを特徴とする請求項１ないし４いずれかに記載の色消しレンズ系。
【請求項６】
前記第６レンズの物体側及び像面側の面の曲率半径をそれぞれＲ８，Ｒ９とするとき、条件式（２）
（２）Ｒ８＝−Ｒ９
を満足する、
ことを特徴とする請求項１ないし５いずれかに記載の色消しレンズ系。
【請求項７】
前記第１レンズ及び第６レンズの硝材のアッベ数をそれぞれν１，ν６とするとき、条件式（３）
（３）ν１＞８０  かつ  ν６＞８０
を満足する、
ことを特徴とする請求項１ないし６いずれかに記載の色消しレンズ系。
【発明の詳細な説明】
【技術分野】
【０００１】
本発明は、ＣＣＤ（charged coupled device）等の撮像素子を備えた顕微鏡カメラに用いられる色消しレンズ系に関し、特に、無限共役系の対物レンズを通過した光線をＣＣＤ等の撮像素子上に結像させる高い色消し性を有する色消しレンズ系に関する。
【背景技術】
【０００２】
無限共役系の顕微鏡システムにおいて、被写体から発せられた光線は、対物レンズを通過して平行光となり、プリズムやミラーを経たのち、結像レンズによりＣＣＤ等の撮像素子上に結像する。結像レンズは、対物レンズの性能を低下させることが無いように、高い光学性能が求められる。特に、色によるにじみや、色によるピント位置ずれを可能な限り抑制しておく必要がある。
そのため、結像レンズとしては、二枚のレンズを組み合わせて二つの色が同じ焦点を結ぶようにしたアクロマートレンズ、二枚以上のレンズを使って三つの色が同じ焦点を結ぶようにしたアポクロマートレンズ等の色消しレンズ系をベースとして発展させた形態が用いられる。
【０００３】
従来の色消しレンズ系としては、分散の小さい正の屈折力を有する正レンズ及び分散の大きい負の屈折力を有する負レンズを含み全体として正の屈折力を有する色消しレンズ群と、正の屈折力を有する回折面とを組み合わせて色消しレンズ系を構成すると共に、所定の条件式を満足させるようにし、特に回折面を導入することにより、色消し性能の向上を図ったものが知られている（例えば、特許文献１参照）。
また、他の色消しレンズ系としては、負の屈折力を有し物体側に凸面を向けたメニスカス形状の負レンズ、正の屈折力を有する両凸形状の正レンズ、負の屈折力を有し物体側に凹面を向けたメニスカス形状の負レンズを含む色消しレンズ径を構成すると共に、所定の条件式を満足させるようにし、特に近赤外域の色収差を良好に補正すると共に、高価な蛍石の使用を避け、コスト削減と取り扱いの容易化を図ったものが知られている（例えば、特許文献２参照）。
さらに、他の色消しレンズ系としては、正の屈折力を有する両凸形状の正レンズ、負の屈折力を有する両凹形状の負レンズ、正の屈折力を有する両凸形状の正レンズを含む色消しレンズ系を構成すると共に、所定の条件式を満足させるようにし、低分散の硝材を用いて、可視光〜近赤外光の色収差を良好に補正したものが知られている（例えば、特許文献３参照）。
【０００４】
【特許文献１】特開平１１−２２３７６５号公報
【特許文献２】特開２０００−９８２２１号公報
【特許文献３】特開２００５−２６６２５９号公報
【発明の開示】
【発明が解決しようとする課題】
【０００５】
ところで、顕微鏡カメラの結像レンズとして、上記従来の色消しレンズ系を適用しようとした場合、これら従来の色消しレンズ系では開口絞りがレンズ近傍にあり、顕微鏡カメラの結像レンズにおいて開口絞りは対物レンズの射出瞳に該当する。
したがって、開口絞りは結像レンズの本体から１００ｍｍ〜２００ｍｍ程度離れた前方にあり、被写体から発せられた光線は、この開口絞りから平行光として放たれることになる。その結果、結像レンズの周辺部では、光線は光軸に平行ではなく、ある角度にて入射してくることになり、従来の色消しレンズ系では、画面周辺において上光線や下光線のコマ収差等が悪化し、画質の低下を招く虞がある。
【０００６】
本発明は、上記のような課題に鑑みて成されたものであり、その目的とするところは、可視光〜近赤外光まで対応し、かつ、画面周辺までコマ収差等が良好に補正された、顕微鏡カメラ等に好適な色消しレンズ系を提供することにある。
【課題を解決するための手段】
【０００７】
本発明の色消しレンズ系は、物体側から像面側に向けて順に配列された、正の屈折力を有する両凸形状の第１レンズと、第１レンズに接合されると共に負の屈折力を有し物体側に凹面を向けたメニスカス形状の第２レンズと、正の屈折力を有する第３レンズと、第３レンズに接合されると共に負の屈折力を有する第４レンズと、負の屈折力を有する第５レンズと、第５レンズに接合されると共に正の屈折力を有する両凸形状の第６レンズと、を含むことを特徴としている。
この構成によれば、第１レンズ及び第２レンズ（第１レンズ群）と第５レンズ及び第６レンズ（第３レンズ群）が主として屈折力を担い、第３レンズ及び第４レンズ（第２レンズ群）が、諸収差、特に色収差及びコマ収差を良好に補正する役割を担う。
すなわち、色消しレンズ系を、屈折力を担うレンズ群（第１レンズ群及び第３レンズ群）と、収差補正を担うレンズ群（第２レンズ群）に分けて設定することにより、可視光から近赤外光までの色消し（色収差を良好に補正すること）が可能となり、かつ、画面周辺まで収差を補正した良好な画像を得ることができる。特に、第１レンズ及び第６レンズに低分散の（例えば、アッベ数が８０を超える）硝子材料を用い、又、第２レンズ及び第５レンズに比較的低分散の（例えば、アッベ数が５０〜７０程度の）硝子材料を用いることで、良好な色消し効果を得ることができる。
【０００８】
上記構成において、第３レンズ及び第４レンズは、同一材料により形成されている、構成を採用することができる。
この構成によれば、第３レンズと第４レンズを一枚のレンズと等価にすることができ、コストの低減にも寄与する。尚、ここでは、第３レンズと第４レンズを別々に形成することを前提にしているものの、同一の材料により形成する場合は第３レンズと第４レンズを一枚のレンズとして形成してもよい。この場合、さらにコストを低減することができる。
【０００９】
上記構成において、第３レンズと第４レンズの接合面は平面に形成されている、構成を採用することができる。
この構成によれば、第３レンズの接合面（像面側の面）と第４レンズの接合面（物体側の面）を平面としたことにより、接合面の加工が容易になり、製造コストを低減できると共に、接合を容易に行うことができる。
【００１０】
上記構成において、第５レンズの物体側の面は平面に形成されている、構成を採用することができる。
この構成によれば、第５レンズの一方の面（物体側の面）を平面としたことにより、加工が容易になり、製造コストを低減することができる。
【００１１】
上記構成において、第１レンズの物体側の面の曲率半径をＲ１、第２レンズの像面側の面の曲率半径をＲ３とするとき、条件式（１）
（１）Ｒ１＝−Ｒ３
を満足する、構成を採用することができる。
この構成によれば、第１レンズの物体側の面と第２レンズの像面側の面を曲面加工する際に、同一の工具を使用することができため、その分だけ製造コストを低減することができる。
【００１２】
上記構成において、第６レンズの物体側及び像面側の面の曲率半径をそれぞれＲ８，Ｒ９とするとき、条件式（２）
（２）Ｒ８＝−Ｒ９
を満足する、構成を採用することができる。
この構成によれば、第６レンズの物体側及び像面側の両面を曲面加工する際に、同一の工具を使用することができため、その分だけ製造コストを低減することができ、又、同一の曲率半径とすることにより前後の区別がないため、誤組み付け等を防止することができる。
【００１３】
上記構成において、第１レンズ及び第６レンズの硝材のアッベ数をそれぞれν１，ν６とするとき、次式（３）
（３）ν１＞８０  かつ  ν６＞８０
を満足する、構成を採用することができる。
この構成によれば、第１レンズと第６レンズに、アッベ数が８０を超える低分散の硝子材料を適用することで、所望の屈折率を確保しつつ、良好な色消し効果を得ることができる。
【発明の効果】
【００１４】
上記構成をなす色消しレンズ系によれば、顕微鏡カメラの結像レンズとして適用された場合に、可視光から近赤外光までの色消しに対応し、かつ、画面周辺まで収差を抑えた良好な画像を得ることができる。
【発明を実施するための最良の形態】
【００１５】
以下、本発明の最良の実施形態について、添付図面を採用しつつ説明する。
図１は本発明に係る色消しレンズ系の一実施形態を示すものであり、図１はその構成図、図２はその光路図を示すものである。
この色消しレンズ系は、図１及び図２に示すように、物体側から像面側に向けて順に配列された、正の屈折力を有する両凸形状の第１レンズ１、第１レンズ１に接合されると共に負の屈折力を有し物体側に凹面を向けたメニスカス形状の第２レンズ２、正の屈折力を有する第３レンズ３、第３レンズ３に接合されると共に負の屈折力を有する第４レンズ４、負の屈折力を有する第５レンズ５、第５レンズ５に接合されると共に正の屈折力を有する両凸形状の第６レンズ６を備えている。
すなわち、第１レンズ１及び第２レンズ２により全体として正の屈折力を有する第１レンズ群Ｇ１、第３レンズ３及び第４レンズ４により全体として正の屈折力を有する第２レンズ群Ｇ２、第５レンズ５及び第６レンズ６により全体として正の屈折力を有する第３レンズ群Ｇ３がそれぞれ形成されている。
そして、第１レンズ１の前方に開口絞りＳＤが配置され、第６レンズ６の後方に像面Ｐが配置されるようになっている。
【００１６】
この配置構成においては、第１レンズ群Ｇ１と第３レンズ群Ｇ３が主として屈折力を担い、第２レンズ群Ｇ２が、諸収差、特に色収差及びコマ収差を良好に補正する役割を担うようになっている。
すなわち、色消しレンズ系を、屈折力を担うレンズ群Ｇ１，Ｇ３と、収差補正を担うレンズ群Ｇ２に分けて設定することにより、可視光から近赤外光までの色消し（色収差を良好に補正すること）が可能となり、かつ、画面周辺まで収差を補正した良好な画像を得ることができる。特に、第１レンズ１及び第６レンズに低分散の（例えば、アッベ数が８０を超える）硝子材料を用い、又、第２レンズ２及び第５レンズ５に比較的低分散の（例えば、アッベ数が５０〜７０程度の）硝子材料を用いることで、良好な色消し効果を得ることができる。
【００１７】
ここで、開口絞りＳＤ〜第１レンズ１〜第６レンズ６においては、図１に示すように、各々の面をＳｉ（ｉ＝０〜９）、各々の面Ｓｉの曲率半径をＲｉ（ｉ＝０〜９）、第１レンズ１〜第６レンズ６のｄ線に対する屈折率をＮｉ（ｉ＝１〜６）及びアッベ数をνｉ（ｉ＝１〜６）で表す。また、開口絞りＳＤ〜像面Ｐまでの光軸Ｌ上における距離（厚さ、空気間隔）をＤｉ（ｉ＝０〜９）で表す。
【００１８】
第１レンズ１は、硝子材料を用いて形成され、図１に示すように、物体側の面Ｓ１が凸面及び像面側の面Ｓ２が凸面をなす正の屈折力を有する両凸形状のレンズである。尚、両凸面Ｓ１，Ｓ２は球面に形成されている。
第２レンズ２は、硝子材料を用いて形成され、図１に示すように、物体側の面Ｓ２が凹面及び像面側の面Ｓ３が凸面をなす負の屈折力を有するメニスカス形状のレンズである。尚、凹面Ｓ２及び凸面Ｓ３は球面に形成されている。
そして、第２レンズ２は、物体側の面Ｓ２が第１レンズ１の像面側の面Ｓ２と接合されている。
【００１９】
第３レンズ３は、硝子材料を用いて形成され、図１に示すように、物体側の面Ｓ４が凸面及び像面側の面Ｓ５が平面をなす正の屈折力を有する平凸形状のレンズである。尚、凸面Ｓ４は球面に形成されている。
第４レンズ４は、硝子材料を用いて形成され、図１に示すように、物体側の面Ｓ５が平面及び像面側の面Ｓ６が凹面をなす負の屈折力を有する平凹形状のレンズである。ここで、凹面Ｓ６は球面に形成されている。
そして、第４レンズ４は、物体側の面Ｓ５が第３レンズ３の像面側の面Ｓ５と接合されている。尚、ここでは、第３レンズ３の接合面（Ｓ５）及び第４レンズ４の接合面（Ｓ５）を平面としたことにより、接合面の加工が容易になり、製造コストを低減できると共に、接合を容易に行うことができる。
【００２０】
また、第３レンズ３及び第４レンズ４は、同一材料により形成されてもよい。これによれば、第３レンズ３と第４レンズ４を一枚のレンズと等価にすることができ、コストの低減にも寄与する。
ここでは、第３レンズ３と第４レンズ４を別々に形成することを前提にしているものの、同一の材料により形成する場合は、第３レンズ３と第４レンズ４を一枚のレンズとして形成してもよい。この場合、さらにコストを低減することができる。
【００２１】
第５レンズ５は、硝子材料を用いて形成され、図１に示すように、物体側の面Ｓ７が平面及び像面側の面Ｓ８が凹面をなす負の屈折力を有するメニスカス形状のレンズである。尚、凹面Ｓ８は球面に形成されている。
ここでは、第５レンズ５の物体側の面Ｓ７を平面としたことにより、加工が容易になり、製造コストを低減できる。
第６レンズ６は、硝子材料を用いて形成され、図１に示すように、物体側の面Ｓ８が凸面及び像面側の面Ｓ９が凸面をなす正の屈折力を有する両凸形状のレンズである。尚、両凸面Ｓ８，Ｓ９は球面に形成されている。
そして、第６レンズ６は、物体側の面Ｓ８が第５レンズ５の像面側の面Ｓ８と接合されている。
【００２２】
ここで、第１レンズ１の物体側の面Ｓ１の曲率半径Ｒ１、第２レンズ２の像面側の面Ｓ３の曲率半径Ｒ３が、好ましくは、条件式（１）
（１）Ｒ１＝−Ｒ３
を満足するように形成される。
これによれば、第１レンズ１の物体側の面Ｓ１と第２レンズ２の像面側の面Ｓ３を曲面加工する際に、同一の工具を使用することができため、その分だけ製造コストを低減することができる。
【００２３】
また、第６レンズ６の物体側及び像面側の面Ｓ８，Ｓ９の曲率半径Ｒ８，Ｒ９が、好ましくは、条件式（２）
（２）Ｒ８＝−Ｒ９
を満足するように形成される。
これによれば、第６レンズ６の物体側及び像面側の両面Ｓ８，Ｓ９を曲面加工する際に、同一の工具を使用することができため、その分だけ製造コストを低減することができ、又、同一の曲率半径とすることにより前後の区別がないため、誤組み付け等を防止することができる。
【００２４】
また、第１レンズ１及び第６レンズ６の硝材のアッベ数ν１，ν６が、好ましくは、条件式（３）
（３）ν１＞８０  かつ  ν６＞８０
を満足するように形成される。
これによれば、第１レンズ１と第６レンズ６の材料として、アッベ数ν１，ν６が８０を超える低分散の硝子材料を適用することで、所望の屈折率を確保しつつ、良好な色消し効果を得ることができる。
【００２５】
さらに、第２レンズ２と第５レンズ５の材料として、アッベ数ν２，ν５が５０〜７０程度の比較的低分散の硝子材料を適用することで、所望の屈折率を確保しつつ、さらに良好な色消し効果を得ることができる。
尚、第２レンズ群Ｇ２（第３レンズ３及び第４レンズ４）の材料としては、殆ど屈折力を有しない、比較的高分散の硝子材料を適用することで、第１レンズ群Ｇ１（第１レンズ１及び第２レンズ２）と第３レンズ群Ｇ３（第５レンズ５及び第６レンズ６）で残存した色収差をさらに打ち消すと共に、コマ収差をさらに良好に補正することができる。
【００２６】
以上のように、色消しレンズ系を、屈折力を担うグループ（第１レンズ群Ｇ１及び第３レンズ群Ｇ３）と、収差補正を担うグループ（第２レンズ群Ｇ２）に分けて設定することにより、可視光から近赤外光までの色消しに対応し、かつ、画面周辺まで収差を抑えた良好な画像を得ることができる。
【００２７】
次に、上記色消しレンズ系の具体的な数値による実施例を、実施例１、実施例２として以下に示す。
【実施例１】
【００２８】
実施例１において、主な仕様諸元、種々の数値データの値は以下の通りである。また、実施例１における球面収差、非点収差、歪曲収差に関する収差線図を図３に示す。尚、図３中の非点収差において、Ｓはサジタル平面での収差、Ｍはメリジオナル平面での収差を示す。
【００２９】
＜条件式の値＞
（１）Ｒ１＝−Ｒ３  →  Ｒ１＝２２４．９１０ｍｍ、Ｒ３＝−２２４．９１０ｍｍ
（２）Ｒ８＝−Ｒ９  →  Ｒ８＝５８．７５３ｍｍ、Ｒ９＝−５８．７５３ｍｍ
（３）ν１＝８１．６＞８０、ν６＝８１．６＞８０
【００３０】
＜仕様諸元＞
使用波長１（主波長）＝５４６．１ｎｍ、使用波長２＝８５２．１ｎｍ、使用波長３＝６５６．３ｎｍ、使用波長４＝４８６．１ｎｍ、使用波長５＝４３５．８ｎｍ、使用波長６＝４０４．６ｎｍ、レンズ系の焦点距離＝１２０．０ｍｍ、最大像高＝５．５ｍｍ、第１レンズ１の外径寸法φ１＝３１ｍｍ、第２レンズ２の外径寸法φ２＝３１ｍｍ、第３レンズ３の外径寸法φ３＝３１ｍｍ、第４レンズ４の外径寸法φ４＝３１ｍｍ、第５レンズ５の外径寸法φ５＝３０ｍｍ、第６レンズ６の外径寸法φ６＝３０ｍｍ、開口絞りＳＤの口径φ＝１５ｍｍ、Ｆ値（Ｆナンバー）＝８．０
【００３１】
＜開口絞りＳＤ〜第１レンズ１〜第６レンズ６の曲率半径Ｒｉ＞
Ｒ０＝∞（開口絞り）、Ｒ１＝２２５．３３０ｍｍ、Ｒ２＝−２９．３８１ｍｍ、Ｒ３＝−２２５．３３０ｍｍ、Ｒ４＝３２．６１６ｍｍ、Ｒ５＝∞（平面）、Ｒ６＝３０．３２３ｍｍ、Ｒ７＝∞（平面）、Ｒ８＝５６．０８９ｍｍ、Ｒ９＝−５６．０８９ｍｍ
【００３２】
＜光軸上の面間隔＞
Ｄ０＝１３１．５ｍｍ、Ｄ１＝７．０ｍｍ、Ｄ２＝１．５ｍｍ、Ｄ３＝０．３ｍｍ、Ｄ４＝５．５ｍｍ、Ｄ５＝１．６ｍｍ、Ｄ６＝３．５ｍｍ、Ｄ７＝２．５ｍｍ、Ｄ８＝６．５ｍｍ、Ｄ９＝１０７．６ｍｍ
【００３３】
＜第１レンズ１〜第６レンズ６の屈折率Ｎｉ（ｄ線）＞
Ｎ１＝１．４９７００、Ｎ２＝１．６３８５４、Ｎ３＝１．６８８９３、Ｎ４＝１．６８８９３、Ｎ５＝１．５１６３３、Ｎ６＝１．７４９７０
＜第１レンズ１〜第６レンズ６のアッベ数νｉ＞
ν１＝８１．６、ν２＝５５．４、ν３＝３１．１、ν４＝３１．１、ν５＝６４．１、ν６＝８１．６
【００３４】
上記実施例１においては、可視光から近赤外光までの色消しがなされ、かつ、画面周辺まで収差を補正した良好な画像が得られる色消しレンズ系を得ることができた。
【実施例２】
【００３５】
実施例２において、主な仕様諸元、種々の数値データの値は以下の通りである。また、実施例２における球面収差、非点収差、歪曲収差に関する収差線図を図４に示す。尚、図４中の非点収差において、Ｓはサジタル平面での収差、Ｍはメリジオナル平面での収差を示す。
【００３６】
＜条件式の値＞
（１）Ｒ１＝−Ｒ３  →  Ｒ１＝２２４．９１０ｍｍ、Ｒ３＝−２２４．９１０ｍｍ
（２）Ｒ８＝−Ｒ９  →  Ｒ８＝５８．７５３ｍｍ、Ｒ９＝−５８．７５３ｍｍ
（３）ν１＝８１．６＞８０、ν６＝８１．６＞８０
【００３７】
＜仕様諸元＞
使用波長１（主波長）＝５４６．１ｎｍ、使用波長２＝８５２．１ｎｍ、使用波長３＝６５６．３ｎｍ、使用波長４＝４８６．１ｎｍ、使用波長５＝４３５．８ｎｍ、使用波長６＝４０４．６ｎｍ、レンズ系の焦点距離＝１２０．０ｍｍ、最大像高＝５．５ｍｍ、第１レンズ１の外径寸法φ１＝３１ｍｍ、第２レンズ２の外径寸法φ２＝３１ｍｍ、第３レンズ３の外径寸法φ３＝３１ｍｍ、第４レンズ４の外径寸法φ４＝３１ｍｍ、第５レンズ５の外径寸法φ５＝３０ｍｍ、第６レンズ６の外径寸法φ６＝３０ｍｍ、開口絞りＳＤの口径φ＝１５ｍｍ、Ｆ値（Ｆナンバー）＝８．０
【００３８】
＜開口絞りＳＤ〜第１レンズ１〜第６レンズ６の曲率半径Ｒｉ＞
Ｒ０＝∞（開口絞り）、Ｒ１＝２２４．９１０ｍｍ、Ｒ２＝−３１．９７９ｍｍ、Ｒ３＝−２２４．９１０ｍｍ、Ｒ４＝３４．６４２ｍｍ、Ｒ５＝∞（平面）、Ｒ６＝３１．７９０ｍｍ、Ｒ７＝∞（平面）、Ｒ８＝５８．７５３ｍｍ、Ｒ９＝−５８．７５３ｍｍ
【００３９】
＜光軸上の面間隔＞
Ｄ０＝１３０．５ｍｍ、Ｄ１＝７．０ｍｍ、Ｄ２＝２．０ｍｍ、Ｄ３＝１．９ｍｍ、Ｄ４＝５．５ｍｍ、Ｄ５＝１．６ｍｍ、Ｄ６＝３．５ｍｍ、Ｄ７＝１．５ｍｍ、Ｄ８＝６．５ｍｍ、Ｄ９＝１０７．５ｍｍ
【００４０】
＜第１レンズ１〜第６レンズ６の屈折率Ｎｉ（ｄ線）＞
Ｎ１＝１．４９７００、Ｎ２＝１．６５８４４、Ｎ３＝１．８０５１８、Ｎ４＝１．８０５１８、Ｎ５＝１．４８７４９、Ｎ６＝１．７４９７０
＜第１レンズ１〜第６レンズ６のアッベ数νｉ＞
ν１＝８１．６、ν２＝５０．９、ν３＝２５．４、ν４＝２５．４、ν５＝７０．２、ν６＝８１．６
【００４１】
上記実施例２においては、可視光から近赤外光までの色消しがなされ、かつ、画面周辺まで収差を補正した良好な画像が得られる色消しレンズ系を得ることができた。
【産業上の利用可能性】
【００４２】
以上述べたように、本発明の色消しレンズ系は、可視光〜近赤外光まで対応し、かつ、画面周辺までコマ収差等を良好に補正することができるため、顕微鏡カメラ等に好適であるのは勿論のこと、顕微鏡カメラの色消しレンズ系に限られるものではなく、高性能な色消しを必要とする用途であれば、その他のレンズ光学機器においても有用である。
【図面の簡単な説明】
【００４３】
【図１】本発明に係る色消しレンズ系の一実施形態を示す構成図である。
【図２】図１に示す色消しレンズ系の光路図である。
【図３】実施例１における色消しレンズ系の球面収差、非点収差、歪曲収差の各収差線図を示す。
【図４】実施例２における色消しレンズ系の球面収差、非点収差、歪曲収差の各収差線図を示す。
【符号の説明】
【００４４】
１  第１レンズ
２  第２レンズ
Ｇ１  第１レンズ群
３  第３レンズ
４  第４レンズ
Ｇ２  第２レンズ群
５  第５レンズ
６  第６レンズ
Ｇ３  第３レンズ群
Ｌ  光軸
ＳＤ  開口絞り
Ｐ  像面
Ｒ１  第１レンズの物体側の面の曲率半径
Ｒ３  第２レンズの像面側の面の曲率半径
Ｒ８  第６レンズの物体側の面の曲率半径
Ｒ９  第６レンズの像面側の面の曲率半径
ν１  第１レンズのアッベ数
ν６  第６レンズのアッベ数
【図１】
2007304312.tif 000003
【図２】
2007304312.tif 000004
【図３】
2007304312.tif 000005
【図４】
2007304312.tif 000006